(57)【要約】【課題】テーブルの使用性を悪化させることなく、テーブルの使用形態を様々に変えられるようにする。【解決手段】テーブル本体１１を水平姿勢の使用状態から前後左右に折り畳めるようにする折畳み機構１３は、テーブル本体１１の前後のピース同士を互いに面一状に繋ぎ合わせた状態から上向きに一方を他方へ折畳める状態に連結して下向きへの折畳みを規制した状態に保持する前後折りのヒンジ部１３Ａと、テーブル本体１１の左右のピース同士を互いに面一状に繋ぎ合わせた状態から上向きに一方を他方へ折畳める状態に連結して下向きへの折畳みを規制した状態に保持する横折りのヒンジ部１３Ｂと、を有する。これら前後折りのヒンジ部１３Ａと横折りのヒンジ部１３Ｂとによって４つに区画されたテーブル本体１１の全ピースが、それぞれ互いに隣り合う２つのピースといずれかのヒンジ部１３Ａ，１３Ｂによって繋ぎ合わされた状態とされている。【選択図】図１
2015214243.tif 000002
【特許請求の範囲】
【請求項１】
乗物用テーブルであって、
物載せとなるテーブル本体と、
該テーブル本体を物載せとして使用可能な水平姿勢とした使用状態から前後左右に折り畳めるようにする折畳み機構と、を有し、
前記折畳み機構は、前記テーブル本体の前後のピース同士を互いに面一状に繋ぎ合わせた状態から上向きに一方を他方へ折畳める状態に連結して下向きへの折畳みを規制した状態に保持する前後折りのヒンジ部と、前記テーブル本体の左右のピース同士を互いに面一状に繋ぎ合わせた状態から上向きに一方を他方へ折畳める状態に連結して下向きへの折畳みを規制した状態に保持する横折りのヒンジ部と、を有し、
当該前後折りのヒンジ部と横折りのヒンジ部とによって４つに区画された前記テーブル本体の全ピースが、それぞれ互いに隣り合う２つのピースと前記前後折りのヒンジ部或いは前記横折りのヒンジ部によって繋ぎ合わされた状態とされていることを特徴とする乗物用テーブル。
【発明の詳細な説明】
【技術分野】
【０００１】
本発明は、乗物用テーブルに関する。詳しくは、乗物用シートの着座者に供される乗物用テーブルに関する。
【背景技術】
【０００２】
従来、乗物用シートにおいて、物載せとなるテーブルが展開・収納可能に設けられた技術が知られている（特許文献１）。上記テーブルは、４つ折りに畳まれて収納されるようになっており、展開時には前後左右に広げられて使用状態に切り換えられるようになっている。
【先行技術文献】
【特許文献】
【０００３】
【特許文献１】特開２００２−１９３０４３号公報
【発明の概要】
【発明が解決しようとする課題】
【０００４】
上記従来技術では、テーブルが４つ折りに畳まれる構成であるため、４つに区画されたテーブルのいずれかのピース同士は連結されず開放された構成となっている。したがって、上記従来技術では、上述した連結の開放されたピース間の剛性低下を補うために、これらを解除可能に連結する別途の連結部材が追加されて設けられた構成となっている。本発明は、上述した問題を解決するものとして創案されたものであって、本発明が解決しようとする課題は、テーブルの使用性を悪化させることなく、テーブルの使用形態を様々に変えられるようにすることにある。
【課題を解決するための手段】
【０００５】
上記課題を解決するために、本発明の乗物用テーブルは次の手段をとる。
【０００６】
第１の発明は、乗物用テーブルであって、物載せとなるテーブル本体と、テーブル本体を物載せとして使用可能な水平姿勢とした使用状態から前後左右に折り畳めるようにする折畳み機構と、を有する。折畳み機構は、テーブル本体の前後のピース同士を互いに面一状に繋ぎ合わせた状態から上向きに一方を他方へ折畳める状態に連結して下向きへの折畳みを規制した状態に保持する前後折りのヒンジ部と、テーブル本体の左右のピース同士を互いに面一状に繋ぎ合わせた状態から上向きに一方を他方へ折畳める状態に連結して下向きへの折畳みを規制した状態に保持する横折りのヒンジ部と、を有する。これら前後折りのヒンジ部と横折りのヒンジ部とによって４つに区画されたテーブル本体の全ピースが、それぞれ互いに隣り合う２つのピースと前後折りのヒンジ部或いは横折りのヒンジ部によって繋ぎ合わされた状態とされている。
【０００７】
この第１の発明によれば、テーブル本体の４つに区画された全ピースが、それぞれ互いに隣り合う２つのピースと繋ぎ合わされて、下方側への撓み変形が抑えられる状態となる。上記テーブル本体は、その水平姿勢に展開された使用状態から、折畳み機構によって前後に折り畳んだり左右に折り畳んだりして、使用形態を変化させて使用することが可能とされる。このような構成となっていることにより、テーブルの使用性を悪化させることなく、テーブルの使用形態を様々に変えることができる。
【図面の簡単な説明】
【０００８】
【図１】実施例１のテーブルが使用位置に展開された状態を示す斜視図である。
【図２】同正面図である。
【図３】同平面図である。
【図４】テーブルの収納状態を示す斜視図である。
【図５】同正面図である。
【図６】同側面図である。
【図７】テーブルが収納位置から上方側に引き上げられた状態を示す斜視図である。
【図８】同正面図である。
【図９】テーブルが斜めの展開位置まで倒し込まれた状態を示す斜視図である。
【図１０】同正面図である。
【図１１】テーブルが上記斜めの展開位置から使用位置に倒し込まれた状態を示す斜視図である。
【図１２】同正面図である。
【図１３】テーブル本体を前方側に折畳みを開いた状態を示す平面図である。
【図１４】図１３のXIV-XIV線断面図である。
【図１５】テーブル本体を横に折畳んだ状態を示す平面図である。
【図１６】図１５のXVI-XVI線断面図である。
【発明を実施するための形態】
【０００９】
以下に、本発明を実施するための形態について、図面を用いて説明する。
【実施例１】
【００１０】
始めに、実施例１のテーブル１０の構成について、図１〜図１６を用いて説明する。本実施例のテーブル１０は、図１〜図６に示すように、自動車のシート１に展開・収納可能に備えられた構成となっている。ここで、上記シート１は、着座者の背凭れとなるシートバック２と、着座部となるシートクッション３と、を有し、シートクッション３の左右両側部に上方側に立壁上に延びる支持台４を備えた構成となっている。上記各支持台４は、その上面部がアームレスト５となっており、着座者が肘掛けとして利用することができるようになっている。
【００１１】
上述したテーブル１０は、物載せとなるテーブル本体１１と、テーブル本体１１を上述したシート１の左側部に設けられた支持台４に対して動かせる状態に連結するテーブル移動装置１０Ｍと、を備えた構成となっている。具体的には、上述したテーブル移動装置１０Ｍは、テーブル本体１１を、支持台４の内部に収納した収納位置（図４〜図６に示す位置）と、着座者の前部に水平姿勢の状態に展開させた使用位置（図１〜図３に示す位置）と、の間で移動させることができるようになっている。ここで、上述したテーブル本体１１を収納するシート１の左側部に設けられた支持台４の上面部のアームレスト５は、テーブル本体１１の展開収納時に外側に開けられて支持台４の内部空間を上方側に開口させた状態とできるように、支持台４の上面部に開閉可能にヒンジ連結された状態となっている。
【００１２】
上述したテーブル移動装置１０Ｍは、図１〜図３に示すように、テーブル本体１１を支持台４に対して支持する支持アーム１２と、テーブル本体１１を前後左右に折り畳めるようにする折畳み機構１３と、支持アーム１２を支持台４に対して高さ方向にスライドさせられる状態に連結するスライダ１４と、を有する。上述したスライダ１４は、図４〜図６及び図７〜図８に示すように、支持台４の内部に設けられたガイドレール４Ａに対して高さ方向にのみ移動可能となるように組み付けられた状態とされている。
【００１３】
具体的には、上述したスライダ１４は、その前後に立板状に張り出す各嵌合部１４Ａが、支持台４内部のスライダ１４の前後位置に設けられた高さ方向に延びる各ガイドレール４Ａのレール溝４Ａ１内にそれぞれ嵌め込まれていることにより、各レール溝４Ａ１の形状に沿って高さ方向にのみ移動可能となるようにガイドされて組み付けられた状態とされている。上記スライダ１４は、図７〜図８に示すように、上述した各レール溝４Ａ１内をスライドする各嵌合部１４Ａが、各レール溝４Ａ１の上端面に当たることで、その上方側へのスライドが係止されるようになっている。
【００１４】
支持アーム１２は、テーブル本体１１より前後方向の板幅の狭い平板状の部材によって構成されており、その下端部が上述したスライダ１４の上部に対して、シート前後方向に軸方向を向ける回転軸１２Ａにより回転可能に連結された状態とされている。これにより、支持アーム１２は、図４〜図６及び図７〜図８に示すように、上述したスライダ１４上に対して、真っ直ぐ上方側に起立して支持台４に対して高さ方向に出し入れ可能な状態となったり、図９〜図１０に示すように、回転軸１２Ａを中心にシート内側に倒されて支持台４からシート内側に張り出した状態となったりすることができる構成とされている。
【００１５】
上述した支持アーム１２は、詳しくは、図７〜図８に示すように、上述したスライダ１４が支持台４の内部において上方側への移動が係止される位置まで移動されることにより、図９〜図１０に示すように、支持台４のシート内側部に形成された開口部４Ｂからシート内側に張り出す形で倒し込むことができるようになっている。上記支持アーム１２は、スライダ１４が上記より低い位置までしか引き上げられていない状態では、上記のような倒し込みを行おうとしても、支持台４の内部側壁４Ｃに当たってしまい、倒し込みが行えないようになっている。
【００１６】
上記支持アーム１２は、上記図９〜図１０に示した状態まで倒し込まれることにより、その根元側となる下端部のシート内側面部に突出形成されたストッパ片１２Ｃが支持台４の内部側壁４Ｃの上面部に形成されたストッパ面４Ｃ１に当たり、その傾倒が図示の傾斜位置に係止されるようになっている。上述したストッパ片１２Ｃは、上述した支持台４の内部側壁４Ｃの上面部に形成されたストッパ面４Ｃ１に対して、高さ方向に真っ直ぐに面を当接させるようになっている。上記面当接によって、上述した支持アーム１２に連結されたスライダ１４の下方側への移動が係止された状態に留められると共に、テーブル本体１１から支持アーム１２にかけられる負荷が受け止められるようになっている。
【００１７】
テーブル本体１１は、図１〜図３に示すように、平板状の部材によって構成されており、その裏面側の中間部（後述する第４のピース１１Ｄの中間部）に、上述した支持アーム１２の上端部がシート前後方向に軸方向を向ける回転軸１２Ｂによって回転可能に連結された状態とされている。これにより、テーブル本体１１は、上述した支持アーム１２に対して回転軸１２Ｂを中心に首振り運動することができる状態とされている。具体的には、上述したテーブル本体１１は、図９〜図１０に示すように、上述した支持アーム１２が支持台４の内部から引き出されてシート内側に斜めに倒し込まれた状態において、支持アーム１２の上に形状を重ねた斜めの傾斜位置と、図１１〜図１２に示すように、上記傾斜位置から水平角度まで落とし込まれた使用位置と、の間で支持アーム１２に対して首振り運動により起倒回転させられるようになっている。
【００１８】
上述したテーブル本体１１は、図９〜図１０に示すように、後述する折畳み機構１３によって前後に２つ折りされた状態で上述した支持台４の内部に収納されたり、支持台４の外部に展開されたりするようになっている。詳しくは、上述したテーブル本体１１は、上述した支持アーム１２の上に形状を重ねた傾斜位置の状態で、図７〜図８に示すように、支持アーム１２と共にスライダ１４の上部に真っ直ぐ上方側に起立した状態に畳まれたり、図４〜図６に示すように、支持アーム１２と共に支持台４の内部に落とし込まれて収納されたりするようになっている。また、上記テーブル本体１１は、上記支持台４の内部に収納された状態から、アームレスト５を外側に開いて、その内部に露呈するテーブル本体１１を上方側へ引き上げることにより、図７〜図８に示すように、支持アーム１２と共にスライダ１４を上方側へスライドさせながら支持台４の上部に引き出されるようになっている。そして、テーブル本体１１は、上記支持台４の上部に引き出された後に、支持アーム１２と共にスライダ１４に対してシート内側に倒し込むように回転させることにより、図９〜図１０に示すように、支持アーム１２と共にシート内側に斜め上がりに傾斜した姿勢状態に展開されるようになっている。
【００１９】
そして、上記テーブル本体１１は、上記斜めの角度姿勢に展開されることにより、自重によって支持アーム１２との回転軸１２Ｂを中心に水平角度まで落とし込まれて係止された状態となる（図１１〜図１２）。ここで、上記テーブル本体１１と支持アーム１２とを連結する回転軸１２Ｂは、テーブル本体１１の横幅方向（回転半径方向）の中央部よりシート外側寄りの位置（後述する第４のピース１１Ｄの中間部）に設定されている。このように設定されていることにより、テーブル本体１１は、上記支持アーム１２と共に図９〜図１０に示す斜めの角度姿勢まで展開されることにより、自重によって自然と水平姿勢の使用位置まで落とし込まれるようになっている。また、上記設定により、テーブル本体１１は、上記水平姿勢の使用位置に落とし込まれた状態においても、その自重作用により、上述した傾斜位置へ跳ね上げられにくい状態に保たれやすい構成とされている。
【００２０】
上述したテーブル本体１１は、上記水平姿勢の使用位置の状態まで落とし込まれることにより、支持アーム１２の先端部に形成された係止部１２Ｄがテーブル本体１１の後述する第４のピース１１Ｄの底部に当たって、その落とし込み方向の回転が係止されるようになっている。上述したテーブル本体１１は、上述した水平姿勢の使用位置に落とし込まれた後、図１３〜図１４に示すように、折畳み機構１３による前後の２つ折り状態を前方側に開くことにより、その物載せとして使用可能な天板面の広さを前方側へ広げられるようになっている。
【００２１】
また、テーブル本体１１は、上記天板面を広げた状態とされることにより、図１５〜図１６に示すように、折畳み機構１３によってテーブル本体１１を左側（図示向かって右側）に２つ折りすることができるようになっている。上記のようにテーブル本体１１を左側に２つ折りすることにより、テーブル本体１１を着座時に邪魔となりにくい小さな形にして利用したり、シート１の前部のスペースを広く空けたりすることができる。
【００２２】
上述したテーブル本体１１は、具体的には、上述した折畳み機構１３によって、次のように前後・左右に２つ折りすることができるように構成されている。すなわち、テーブル本体１１は、前後・左右にそれぞれ２分割された４つのピース（第１のピース１１Ａ、第２のピース１１Ｂ、第３のピース１１Ｃ、第４のピース１１Ｄ）によって構成されている。上述した第１のピース１１Ａは、着座者から見てテーブル本体１１の右前側のピースとなっており、第２のピース１１Ｂは、同右後側のピースとなっており、第３のピース１１Ｃは、同左前側のピースとなっており、第４のピース１１Ｄは、同左後側のピースとなっている。上述したテーブル本体１１は、上述した第４のピース１１Ｄの底部に上述した支持アーム１２が連結されており、この第４のピース１１Ｄを基点に、前側半分のピース（第１のピース１１Ａと第３のピース１１Ｃ）を後側半分のピース（第２のピース１１Ｂと第４のピース１１Ｄ）に向かって後方側に折り畳んだり、右側半分のピース（第１のピース１１Ａと第２のピース１１Ｂ）を左側半分のピース（第３のピース１１Ｃと第４のピース１１Ｄ）に向かって左側に折り畳んだりすることができるようになっている。
【００２３】
具体的には、上述したテーブル本体１１は、その右側半分のピースを構成する第１のピース１１Ａと第２のピース１１Ｂとが、互いに前後折りのヒンジ部１３Ａによって前後向きに折り畳める状態に連結された状態とされている。より具体的には、上述した前後折りのヒンジ部１３Ａは、第１のピース１１Ａの後側の縁部に連結された連結軸１３Ａ１と、第２のピース１１Ｂの前側の縁部に連結された連結軸１３Ａ２と、これら連結軸１３Ａ１，１３Ａ２を支持するブラケット１３Ａ３と、を有した構成となっている。上記ブラケット１３Ａ３は、各連結軸１３Ａ１，１３Ａ２の左右両側の端部にそれぞれ連結された左右一対の構成とされている。各ブラケット１３Ａ３は、それぞれ、Ｌ字板状の形に形成されており、それらの立板部分に各連結軸１３Ａ１，１３Ａ２の端部が差し込まれて連結されており、それらの底板部分が第１のピース１１Ａの底面部と第２のピース１１Ｂの底面部とにそれぞれ面一状に埋め込まれる形に設けられて、それぞれ底側から面当接した状態にあてがわれた状態とされている。
【００２４】
このような構成となっていることにより、第１のピース１１Ａと第２のピース１１Ｂとは、それぞれ、各連結軸１３Ａ１，１３Ａ２のまわりに回転することができる構成となっているが、それらの底面部が各ブラケット１３Ａ３の底板部分によって底側からあてがわれていることにより、第１のピース１１Ａを第２のピース１１Ｂに向かって上向きに折り畳んだりその反対側に展開させたりする領域でしか回転させられないようになっている。そしてこれにより、第１のピース１１Ａと第２のピース１１Ｂとは、互いに水平姿勢に展開された状態から下方側に垂れ下がることがないように各ブラケット１３Ａ３によって支えられる構成とされている。また、第１のピース１１Ａと第２のピース１１Ｂとは、上述した２軸（連結軸１３Ａ１，１３Ａ２）のヒンジ構造を持つ前後折りのヒンジ部１３Ａによって連結されていることにより、互いの間をほとんど空けない状態で連結されているにもかかわらず、互いに天板面を重ね合わせた状態に折り畳むことができる構成とされている。
【００２５】
また、上述したテーブル本体１１は、その左側半分のピースを構成する第３のピース１１Ｃと第４のピース１１Ｄも、互いに前後折りのヒンジ部１３Ａによって前後向きに折り畳める状態に連結された状態とされている。具体的には、上述した前後折りのヒンジ部１３Ａは、第３のピース１１Ｃの後側の縁部に連結された連結軸１３Ａ１と、第４のピース１１Ｄの前側の縁部に連結された連結軸１３Ａ２と、これら連結軸１３Ａ１，１３Ａ２を支持するブラケット１３Ａ３と、を有した構成となっている。上記ブラケット１３Ａ３は、各連結軸１３Ａ１，１３Ａ２の左右両側の端部にそれぞれ連結された左右一対の構成とされている。各ブラケット１３Ａ３は、それぞれ、Ｌ字板状の形に形成されており、それらの立板部分に各連結軸１３Ａ１，１３Ａ２の端部が差し込まれて連結されており、それらの底板部分が第３のピース１１Ｃの底面部と第４のピース１１Ｄの底面部とにそれぞれ面一状に埋め込まれる形に設けられて、それぞれ底側から面当接した状態にあてがわれた状態とされている。
【００２６】
このような構成となっていることにより、第３のピース１１Ｃと第４のピース１１Ｄとは、それぞれ、各連結軸１３Ａ１，１３Ａ２のまわりに回転することができる構成となっているが、それらの底面部が各ブラケット１３Ａ３の底板部分によって底側からあてがわれていることにより、第３のピース１１Ｃを第４のピース１１Ｄに向かって上向きに折り畳んだりその反対側に展開させたりする領域でしか回転させられないようになっている。そしてこれにより、第３のピース１１Ｃと第４のピース１１Ｄとは、互いに水平姿勢に展開された状態から下方側に垂れ下がることがないように各ブラケット１３Ａ３によって支えられる構成とされている。また、第３のピース１１Ｃと第４のピース１１Ｄとは、上述した２軸（連結軸１３Ａ１，１３Ａ２）のヒンジ構造を持つ前後折りのヒンジ部１３Ａによって連結されていることにより、互いの間をほとんど空けない状態で連結されているにもかかわらず、互いに天板面を重ね合わせた状態に折り畳むことができる構成とされている。
【００２７】
また、上述したテーブル本体１１は、その前側半分のピースを構成する第１のピース１１Ａと第３のピース１１Ｃとが、互いに横折りのヒンジ部１３Ｂによって横向きに折り畳める状態に連結された状態とされている。具体的には、上述した横折りのヒンジ部１３Ｂは、第１のピース１１Ａの左側の縁部に連結された連結軸１３Ｂ１と、第３のピース１１Ｃの右側の縁部に連結された連結軸１３Ｂ２と、これら連結軸１３Ｂ１，１３Ｂ２を支持するブラケット１３Ｂ３と、を有した構成となっている。上記ブラケット１３Ｂ３は、各連結軸１３Ｂ１，１３Ｂ２の前後両側の端部にそれぞれ連結された前後一対の構成とされている。各ブラケット１３Ｂ３は、それぞれ、Ｌ字板状の形に形成されており、それらの立板部分に各連結軸１３Ｂ１，１３Ｂ２の端部が差し込まれて連結されており、それらの底板部分が第１のピース１１Ａの底面部と第３のピース１１Ｃの底面部とにそれぞれ底側から面当接した状態にあてがわれた状態とされている。
【００２８】
このような構成となっていることにより、第１のピース１１Ａと第３のピース１１Ｃとは、それぞれ、各連結軸１３Ｂ１，１３Ｂ２のまわりに回転することができる構成となっているが、それらの底面部が各ブラケット１３Ｂ３の底板部分によって底側からあてがわれていることにより、第１のピース１１Ａを第３のピース１１Ｃに向かって上向きに折り畳んだりその反対側に展開させたりする領域でしか回転させられないようになっている。そしてこれにより、第１のピース１１Ａと第３のピース１１Ｃとは、互いに水平姿勢に展開された状態から下方側に垂れ下がることがないように各ブラケット１３Ｂ３によって支えられる構成とされている。また、第１のピース１１Ａと第３のピース１１Ｃとは、上述した２軸（連結軸１３Ｂ１，１３Ｂ２）のヒンジ構造を持つ横折りのヒンジ部１３Ｂによって連結されていることにより、互いの間をほとんど空けない状態で連結されているにもかかわらず、互いに天板面を重ね合わせた状態に折り畳むことができる構成とされている。
【００２９】
また、上述したテーブル本体１１は、その後側半分のピースを構成する第２のピース１１Ｂと第４のピース１１Ｄも、互いに横折りのヒンジ部１３Ｂによって横向きに折り畳める状態に連結された状態とされている。具体的には、上述した横折りのヒンジ部１３Ｂは、第２のピース１１Ｂの左側の縁部に連結された連結軸１３Ｂ１と、第４のピース１１Ｄの右側の縁部に連結された連結軸１３Ｂ２と、これら連結軸１３Ｂ１，１３Ｂ２を支持するブラケット１３Ｂ３と、を有した構成となっている。上記ブラケット１３Ｂ３は、各連結軸１３Ｂ１，１３Ｂ２の前後両側の端部にそれぞれ連結された前後一対の構成とされている。各ブラケット１３Ｂ３は、それぞれ、Ｌ字板状の形に形成されており、それらの立板部分に各連結軸１３Ｂ１，１３Ｂ２の端部が差し込まれて連結されており、それらの底板部分が第２のピース１１Ｂの底面部と第４のピース１１Ｄの底面部とにそれぞれ底側から面当接した状態にあてがわれた状態とされている。
【００３０】
このような構成となっていることにより、第２のピース１１Ｂと第４のピース１１Ｄとは、それぞれ、各連結軸１３Ｂ１，１３Ｂ２のまわりに回転することができる構成となっているが、それらの底面部が各ブラケット１３Ｂ３の底板部分によって底側からあてがわれていることにより、第２のピース１１Ｂを第４のピース１１Ｄに向かって上向きに折り畳んだりその反対側に展開させたりする領域でしか回転させられないようになっている。そしてこれにより、第２のピース１１Ｂと第４のピース１１Ｄとは、互いに水平姿勢に展開された状態から下方側に垂れ下がることがないように各ブラケット１３Ｂ３によって支えられる構成とされている。また、第２のピース１１Ｂと第４のピース１１Ｄとは、上述した２軸（連結軸１３Ｂ１，１３Ｂ２）のヒンジ構造を持つ横折りのヒンジ部１３Ｂによって連結されていることにより、互いの間をほとんど空けない状態で連結されているにもかかわらず、互いに天板面を重ね合わせた状態に折り畳むことができる構成とされている。
【００３１】
以上をまとめると、本実施例のテーブル１０は次のような構成となっている。すなわち、本実施例のテーブル１０は、物載せとなるテーブル本体１１と、テーブル本体１１を物載せとして使用可能な水平姿勢とした使用状態から前後左右に折り畳めるようにする折畳み機構１３と、を有する。折畳み機構１３は、テーブル本体１１の前後のピース同士（第１のピース１１Ａと第３のピース１１Ｃとから成る前側のピースと、第２のピース１１Ｂと第４のピース１１Ｄとから成る後側のピースと）を互いに面一状に繋ぎ合わせた状態から上向きに一方（前側のピース）を他方（後側のピース）へ折畳める状態に連結して下向きへの折畳みを規制した状態に保持する前後折りのヒンジ部１３Ａと、テーブル本体１１の左右のピース同士（第１のピース１１Ａと第２のピース１１Ｂとから成る右側のピースと、第３のピース１１Ｃと第４のピース１１Ｄとから成る左側のピースと）を互いに面一状に繋ぎ合わせた状態から上向きに一方（右側のピース）を他方（左側のピース）へ折畳める状態に連結して下向きへの折畳みを規制した状態に保持する横折りのヒンジ部１３Ｂと、を有する。これら前後折りのヒンジ部１３Ａと横折りのヒンジ部１３Ｂとによって４つに区画されたテーブル本体１１の全ピース（第１のピース１１Ａ、第２のピース１１Ｂ、第３のピース１１Ｃ、第４のピース１１Ｄ）が、それぞれ互いに隣り合う２つのピースと前後折りのヒンジ部１３Ａ或いは横折りのヒンジ部１３Ｂによって繋ぎ合わされた状態とされている。
【００３２】
このような構成となっていることにより、テーブル本体１１の４つに区画された全ピースが、それぞれ互いに隣り合う２つのピースと繋ぎ合わされて、下方側への撓み変形が抑えられる状態となる。上記テーブル本体１１は、その水平姿勢に展開された使用状態から、折畳み機構１３によって前後に折り畳んだり左右に折り畳んだりして、使用形態を変化させて使用することが可能とされる。このような構成となっていることにより、テーブル１０の使用性を悪化させることなく、テーブル１０の使用形態を様々に変えることができる。
【００３３】
以上、本発明の実施形態を１つの実施例を用いて説明したが、本発明は上記実施例のほか各種の形態で実施することができるものである。
【００３４】
例えば、テーブル本体を前後に２つ折りしたり横に２つ折りしたりする態様は、必ずしも折り畳んだピースの形状同士を一致させる折り畳みでなくてもよい。すなわち、上側に折り畳まれたピースが下側のピースよりも大きく張り出す態様で折り畳まれるものや、上側に折り畳まれたピースが下側のピースの一部領域のみに重なるように折り畳まれるものであってもよい。
【００３５】
また、テーブル本体の展開・収納の形態は、上記実施例１で示した形態に限定されず、種々の形態を適用可能である。例えば、テーブル本体をベースに対してスライドではなく回転により展開・収納するものや、高さ方向にではなく水平方向に展開・収納するものなどが挙げられる。また、テーブル本体は、これを支える部材がどのピースに連結されているかによって、その上向きに折り畳まれる方向が変えられるものであり、テーブル本体を支える部材はテーブル本体のどのピースに連結されていてもよい。
【符号の説明】
【００３６】
１      シート
２      シートバック
３      シートクッション
４      支持台
４Ａ    ガイドレール
４Ａ１  レール溝
４Ｂ    開口部
４Ｃ    内部側壁
４Ｃ１  ストッパ面
５      アームレスト
１０    テーブル
１０Ｍ  テーブル移動装置
１１    テーブル本体
１１Ａ  第１のピース（前側のピース、右側のピース）
１１Ｂ  第２のピース（後側のピース、右側のピース）
１１Ｃ  第３のピース（前側のピース、左側のピース）
１１Ｄ  第４のピース（後側のピース、左側のピース）
１２    支持アーム
１２Ａ  回転軸
１２Ｂ  回転軸
１２Ｃ  ストッパ片
１２Ｄ  係止部
１３    折畳み機構
１３Ａ  前後折りのヒンジ部
１３Ａ１  連結軸
１３Ａ２  連結軸
１３Ａ３  ブラケット
１３Ｂ  横折りのヒンジ部
１３Ｂ１  連結軸
１３Ｂ２  連結軸
１３Ｂ３  ブラケット
１４    スライダ
１４Ａ  嵌合部
【図１】
2015214243.tif 000003
【図２】
2015214243.tif 000004
【図３】
2015214243.tif 000005
【図４】
2015214243.tif 000006
【図５】
2015214243.tif 000007
【図６】
2015214243.tif 000008
【図７】
2015214243.tif 000009
【図８】
2015214243.tif 000010
【図９】
2015214243.tif 000011
【図１０】
2015214243.tif 000012
【図１１】
2015214243.tif 000013
【図１２】
2015214243.tif 000014
【図１３】
2015214243.tif 000015
【図１４】
2015214243.tif 000016
【図１５】
2015214243.tif 000017
【図１６】
2015214243.tif 000018